(57)【要約】【課題】システムや方式を大きく改変することなく、鍵長の変更に対応することが可能な限定受信システムを得る。【解決手段】実施形態にかかる限定受信システムの復号化方法は、識別情報に対応したワーク鍵と、相異なるワーク鍵で暗号化された複数のスクランブル鍵が重畳された共通情報における識別情報に対応したワーク鍵で暗号化されたスクランブル鍵の存在範囲を示すポインタと、を含む暗号化された個別情報を復号化し、共通情報から、ポインタによって示された範囲に含まれる暗号化されたスクランブル鍵を選択し、選択された暗号化されたスクランブル鍵を、識別情報に対応したワーク鍵で復号化し、復号化されたスクランブル鍵により、当該スクランブル鍵によって暗号化されたコンテンツを復号化する。【選択図】図２Ｂ
2015012492.tif 000002
【特許請求の範囲】
【請求項１】
識別情報に対応したワーク鍵と、相異なるワーク鍵で暗号化された複数のスクランブル鍵が重畳された共通情報における前記識別情報に対応したワーク鍵で暗号化されたスクランブル鍵の存在範囲を示すポインタと、を含む暗号化された個別情報を復号化し、
前記共通情報から、前記ポインタによって示された範囲に含まれる暗号化されたスクランブル鍵を選択し、
前記選択された暗号化されたスクランブル鍵を、前記識別情報に対応したワーク鍵で復号化し、
前記復号化されたスクランブル鍵により、当該スクランブル鍵によって暗号化されたコンテンツを復号化する、限定受信システムの復号化方法。
【請求項２】
前記ポインタは、前記共通情報における前記スクランブル鍵の開始位置と終了位置とを示す、請求項１に記載の復号化方法。
【請求項３】
前記ポインタは、前記共通情報における前記スクランブル鍵の開始位置と存在範囲の大きさとを示す、請求項１に記載の復号化方法。
【請求項４】
前記個別情報は、前記ポインタが前記共通情報における前記スクランブル鍵の存在範囲を示すか存在位置を示すかを区別する情報をさらに含む、請求項１〜３のうちいずれか一つに記載の復号化方法。
【請求項５】
コンテンツをスクランブル鍵により暗号化し、
前記スクランブル鍵を、複数の相異なるワーク鍵で暗号化し、
前記暗号化された複数のスクランブル鍵が重畳された共通情報を構成し、
複数のワーク鍵から識別情報に対応したワーク鍵を選択し、
前記選択された前記ワーク鍵と、当該ワーク鍵により暗号化された前記スクランブル鍵の前記共通情報における存在範囲を示すポインタと、を含む個別情報を構成し、
前記個別情報を前記識別情報に対応したデバイス鍵で暗号化する、
限定受信システムの暗号化方法。
【請求項６】
識別情報に対応したワーク鍵と、相異なるワーク鍵で暗号化された複数のスクランブル鍵が重畳された共通情報における前記識別情報に対応したワーク鍵で暗号化されたスクランブル鍵の存在範囲を示すポインタと、を含む暗号化された個別情報を復号化する第一の復号化部と、
前記共通情報から、前記ポインタによって示された範囲に含まれる暗号化されたスクランブル鍵を選択する選択部と、
前記選択部で選択された前記暗号化されたスクランブル鍵を、前記第一の復号化部で得られた前記識別情報に対応したワーク鍵で復号化する第二の復号化部と、
前記第二の復号化部で得られたスクランブル鍵により、当該スクランブル鍵によって暗号化されたコンテンツを復号化する、デスクランブル部と、
を備えた、限定受信システムの受信装置。
【請求項７】
コンテンツをスクランブル鍵により暗号化するスクランブル部と、
前記スクランブル鍵を、それぞれのワーク鍵で暗号化する複数の第一の暗号化部と、
前記複数の第一の暗号化部で暗号化された複数のスクランブル鍵が重畳された共通情報を構成する共通情報構成部と、
複数のワーク鍵から識別情報に対応したワーク鍵を選択する選択部と、
前記選択部で選択された前記ワーク鍵と、当該ワーク鍵により前記第一の暗号化部で暗号化された前記スクランブル鍵の前記共通情報における存在範囲を示すポインタと、を含む個別情報を構成する個別情報構成部と、
前記個別情報を前記識別情報に対応したデバイス鍵で暗号化する第二の暗号化部と、
を備えた、限定受信システムの送信装置。
【発明の詳細な説明】
【技術分野】
【０００１】
本発明の実施形態は、限定受信システムの復号化方法、暗号化方法、受信装置、および送信装置に関する。
【背景技術】
【０００２】
従来、スクランブル鍵Ｋｓ、ワーク鍵Ｋｗ、およびデバイス鍵Ｋｄの三つの鍵を用いて番組等のコンテンツを暗号化して（スクランブルして）送受信する限定受信システム（conditional  access  system，ＣＡＳ）が知られている。
【先行技術文献】
【非特許文献】
【０００３】
【非特許文献１】ＡＲＩＢ  ＳＴＤ−Ｂ２５（６．２）、デジタル放送におけるアクセス制御方式、第３部  受信時の制御方式（コンテンツ保護方式）、電波産業会（ＡＲＩＢ）、２０１２年９月２５日
【発明の概要】
【発明が解決しようとする課題】
【０００４】
上記技術では、スクランブル鍵の鍵長が６４ビットであることを前提としている。今後、セキュリティ維持の観点でスクランブル鍵の鍵長を長くしようとする場合に、これを別の新たな方式として実現しようとすれば、方式のサイマル化など送出側、受信側にとって負荷が高くなってしまう虞がある。つまり、システムや方式を大きく改変することなく、鍵長の変更に対応できることが好ましい。
【課題を解決するための手段】
【０００５】
実施形態の限定受信システムの復号化方法は、識別情報に対応したワーク鍵と、相異なるワーク鍵で暗号化された複数のスクランブル鍵が重畳された共通情報における識別情報に対応したワーク鍵で暗号化されたスクランブル鍵の存在範囲を示すポインタと、を含む暗号化された個別情報を復号化し、共通情報から、ポインタによって示された範囲に含まれる暗号化されたスクランブル鍵を選択し、選択された暗号化されたスクランブル鍵を、識別情報に対応したワーク鍵で復号化し、復号化されたスクランブル鍵により、当該スクランブル鍵によって暗号化されたコンテンツを復号化する。
【図面の簡単な説明】
【０００６】
【図１】図１は、実施形態の限定受信システムの送信装置および受信装置の概略構成の一例が示されたブロック図である。
【図２Ａ】図２Ａは、従来の限定受信システムで用いられる共通情報および個別情報のデータ構成の一例が示された概念図である。
【図２Ｂ】図２Ｂは、実施形態の限定受信システムで用いられる共通情報および個別情報のデータ構成の一例が示された概念図である。
【図３】図３は、実施形態の限定受信システムで用いられる個別情報の記述子の構成の一例が示された概念図である。
【図４】図４は、実施形態の限定受信システムで用いられる個別情報の旧装置用の記述子の構成の一例が示された概念図である。
【図５】図５は、実施形態にかかる限定受信システムの送信装置で個別情報が暗号化される手順の一例が示されたフローチャートである。
【図６】図６は、実施形態にかかる限定受信システムの受信装置で個別情報が復号化される手順の一例が示されたフローチャートである。
【発明を実施するための形態】
【０００７】
以下、図面が参照されながら、例示的な実施形態が説明される。なお、本明細書中の、第一，第二等の序数は、構成要素等を便宜上区別するために付与されており、処理の順序や、優先度、重要度等を意味するものではない。
【０００８】
本実施形態の限定受信システム１００（ＣＡＳ）は、実施形態にかかる発明の構成要素等として修正あるいは追加された部分を除き、電波産業会（association  of  radio  industries  and  businesses，ＡＲＩＢ）の規格ＡＲＩＢ  ＳＴＤ−Ｂ２５（６．２）「デジタル放送におけるアクセス制御方式」の、第３部「受信時の制御方式（コンテンツ保護方式）」のうち、ＥＣＭ−Ｆ１による「ワーク鍵Ｋｗ漏洩元検出のために拡張したシステム構成」に準拠している。
【０００９】
すなわち、本実施形態の限定受信システム１００では、スクランブル鍵Ｋｓ、ワーク鍵Ｋｗ、およびデバイス鍵Ｋｄの三つの鍵が用いられる。
【００１０】
スクランブル鍵Ｋｓは、番組等のコンテンツを暗号化する鍵である。スクランブル鍵Ｋｓは、送信装置１０側で短周期で更新される。
【００１１】
ワーク鍵Ｋｗは、スクランブル鍵Ｋｓを暗号化する鍵である。ワーク鍵Ｋｗは、送信装置１０側で生成され長周期で更新される。また、この限定受信システム１００では、複数のワーク鍵Ｋｗが用いられる。ワーク鍵Ｋｗは、受信装置２０の識別単位あたりに一つ配布される。各ワーク鍵Ｋｗは、デバイスＩＤ（identification，識別情報）に対応付けられている。
【００１２】
デバイス鍵Ｋｄは、ワーク鍵Ｋｗを暗号化する鍵である。デバイス鍵Ｋｄは、受信装置２０の識別単位毎に、すなわちデバイスＩＤに対応して設定されている。
【００１３】
送信装置１０から受信装置２０へは、スクランブルされたコンテンツの他、暗号化された共通情報（entitlement  control  message，ＥＣＭ）や、暗号化された個別情報（entitlement  management  message，ＥＭＭ）等が送信される。
【００１４】
図１に示されるように、送信装置１０は、スクランブル部１１や、複数の暗号化部１２、重畳部１３、選択部１４、個別情報構成部１５、暗号化部１６等を、備える。
【００１５】
スクランブル部１１（スクランブラ）は、スクランブル鍵Ｋｓにより、コンテンツを暗号化する。
【００１６】
複数の暗号化部１２は、それぞれに対応したワーク鍵Ｋｗで、スクランブル鍵Ｋｓを暗号化する。送信装置１０では、相異なるワーク鍵Ｋｗでそれぞれ暗号化された複数のスクランブル鍵Ｋｓが構成される。暗号化部１２は、第一の暗号化部の一例である。
【００１７】
重畳部１３は、複数の暗号化部１２で暗号化されたスクランブル鍵Ｋｓを重畳して共通情報（ＥＣＭ）を構成する。すなわち、本実施形態では、重畳部１３は、共通情報構成部の一例である。
【００１８】
選択部１４は、デバイスＩＤに対応したワーク鍵Ｋｗを選択する。
【００１９】
個別情報構成部１５は、選択部１４で選択されたワーク鍵Ｋｗと、ポインタと、を含む個別情報（ＥＭＭ）を構成する。ポインタは、共通情報ＥＣＭにおける当該ワーク鍵Ｋｗに対応した（暗号化された）スクランブル鍵Ｋｓの存在位置や存在範囲を示す情報（指示情報）である。
【００２０】
ここで、図２Ａおよび図２Ｂを参照して、共通情報（ＥＣＭ）と個別情報（ＥＭＭ）との構成例ならびにそれらの対応関係が説明される。図２Ａは、従来の方式における個別情報（ＥＭＭ）と共通情報（ＥＣＭ）との関係を例示し、図２Ｂは、本実施形態の方式における個別情報（ＥＭＭ）と共通情報（ＥＣＭ）の関係を例示する。図２Ａおよび図２Ｂの左側に例示される共通情報（ＥＣＭ、暗号化されたもの）には、スクランブル鍵Ｋｓ１〜Ｋｓ４およびスクランブル鍵Ｋｓ５，Ｋｓ６がそれぞれ含まれている。共通情報（ＥＣＭ）に含まれるスクランブル鍵Ｋｓ１〜Ｋｓ４およびスクランブル鍵Ｋｓ５，Ｋｓ６は、それぞれ、対応するワーク鍵Ｋｗ１，Ｋｗ２およびワーク鍵Ｋｗ３，Ｋｗ４で暗号化されている。なお、各スクランブル鍵Ｋｓ１〜Ｋｓ６には、それぞれ、奇鍵（ｏｄｄ）と偶鍵（ｅｖｅｎ）とが含まれている。ここで、スクランブル鍵Ｋｓ１〜Ｋｓ４のデータ長は、従来の方式で用いられている６４ビットである。これに対し、スクランブル鍵Ｋｓ５，Ｋｓ６のデータ長は、従来の方式のものより長い（２倍の）１２８ビットに設定されている。このため、共通情報（ＥＣＭ）においてスクランブル鍵Ｋｓ５，Ｋｓ６が存在する範囲は、従来のスクランブル鍵Ｋｓ１〜Ｋｓ４より広い（長い）。
【００２１】
図２Ａの右側に例示される２つの個別情報（ＥＭＭ）は、それぞれワーク鍵Ｋｗ１，Ｋｗ２を含んでおり、図２Ｂの右側に例示される二つの個別情報（ＥＭＭ）は、それぞれワーク鍵Ｋｗ３，Ｋｗ４を含んでいる。また、図２Ａの個別情報（ＥＭＭ）は、それぞれのワーク鍵Ｋｗ１，Ｋｗ２に対応したスクランブル鍵Ｋｓ１，Ｋｓ２を、共通情報（ＥＣＭ）から取り出すためのポインタを含んでおり、図２Ｂの個別情報（ＥＭＭ）は、それぞれのワーク鍵Ｋｗ３，Ｋｗ４に対応したスクランブル鍵Ｋｓ５，Ｋｓ６を、共通情報（ＥＣＭ）から取り出すためのポインタを含んでいる。図２Ａならびに図２Ｂから明らかとなるように、従来の方式のスクランブル鍵Ｋｓ１，Ｋｓ２に対応したワーク鍵Ｋｗ１，Ｋｗ２を含む個別情報（ＥＭＭ）には、従来の方式にしたがって、スクランブル鍵Ｋｓ１，Ｋｓ２の存在する位置（開始位置）を指定するポインタが含まれている。一方、本実施形態にかかる新しい方式のスクランブル鍵Ｋｓ５，Ｋｓ６に対応したワーク鍵Ｋｗ３，Ｋｗ４を含む個別情報（ＥＭＭ）には、スクランブル鍵Ｋｓ５，Ｋｓ６の存在する範囲を指定するポインタが含まれている。よって、図２Ａと図２Ｂとを比較すれば明らかとなるように、本実施形態によれば、共通情報（ＥＣＭ）の全体フォーマットを変更せずにデータ長が異なるスクランブル鍵を共通情報（ＥＣＭ）内に配置することが可能になり、受信装置２０は、当該共通情報（ＥＣＭ）のうちポインタで指定された存在範囲から、より確実にあるいはより容易に対応するスクランブル鍵Ｋｓを取得することができる。
【００２２】
そして、図２Ｂに示されたデータ長の長いスクランブル鍵Ｋｓ５，Ｋｓ６に対応した、個別情報（ＥＭＭ）における範囲指定ポインタは、図３に例示されるように、ＡＲＩＢ  ＳＴＤ−Ｂ２５（６．２）で規定されているＦ１Ｋｗ設定descriptor（記述子）に含めることができる。図３のＦ１Ｋｗ設定descriptorには、スクランブル鍵Ｋｓの奇鍵（ｏｄｄ）ならびに偶鍵（ｅｖｅｎ）のそれぞれについて、Ｆ１Ｋｓ開始ポインタ（開始位置）とＦ１Ｋｓ終了ポインタ（終了位置）とが含まれている。このように、共通情報（ＥＣＭ）におけるスクランブル鍵Ｋｓの存在範囲は、開始位置と終了位置とで指定することができる。また、この図３から明らかとなるように、データ長の長いスクランブル鍵Ｋｓ３を含む新しい方式に対応したポインタは、従来の方式のＦ１Ｋｗ設定descriptor（ポインタ）の比較的小さな改変によって導入することができる。また、本実施形態にかかる新しい方式によれば、スクランブル鍵Ｋｓのデータ長が種々に改変された場合にあっても、比較的容易に対応することができるようになる。
【００２３】
また、図４に例示されるように、Ｆ１Ｋｗ設定descriptorに、スクランブル鍵Ｋｓ（ｏｄｄ），Ｋｓ（ｅｖｅｎ）のそれぞれについて、Ｆ１Ｋｓ開始ポインタ（開始位置）と、Ｆ１Ｋｓのサイズ（存在範囲の大きさ）を示す情報と、が含まれてもよい。
【００２４】
なお、図３，４に例示されたような新しい方式のポインタを含む個別情報（ＥＭＭ）は、新しい方式に対応していない受信装置２０では、復号化することができない。しかしながら、例えば、新しい方式と従来の方式とで、図３，４の例におけるDescriptor  Tagを区別することで、従来の方式の受信装置２０は、新しい方式のＦ１Ｋｗ設定descriptor（ポインタ）を無視することができる。よって、新しい方式のＦ１Ｋｗ設定descriptor（ポインタ）に改変された場合に、従来の方式に対応した受信装置２０で不都合が生じるのを抑制することができる。なお、Descriptor  Tagは、区別する情報の一例であって、他の情報で新しい方式と従来の方式とを区別できるようにしてもよい。
【００２５】
暗号化部１６は、個別情報構成部１５で構成された個別情報ＥＭＭを暗号化する。そして、暗号化された個別情報（ＥＭＭ）が、送信装置１０から受信装置２０へ送信される。暗号化部１６は、第二の暗号化部の一例である。
【００２６】
上述した送信装置１０は、コンピュータとして構成され、ＣＰＵ（central  processing  unit）や、コントローラ、記憶部、入力部、出力部、通信部等（図示されず）を備えうる。記憶部は、例えば、ＲＡＭ（random  access  memory）や、ＲＯＭ（read  only  memory）、ＨＤＤ（hard  disk  drive）、ＳＳＤ（solid  state  drive）等である。送信装置１０のＣＰＵやコントローラが、ロードされたプログラム（例えば、ＯＳ（operating  system）や、アプリケーション、ウエブアプリケーション等）にしたがって、種々の演算処理を実行することができる。本実施形態では、一例として、プログラムにしたがったＣＰＵ等の演算処理によって、図１に示されるスクランブル部１１や、複数の暗号化部１２、重畳部１３、選択部１４、個別情報構成部１５、暗号化部１６等が機能することができる。
【００２７】
一方、図１に示されるように、受信装置２０は、復号化部２１や、選択部２２、復号化部２３、デスクランブル部２４等を、備える。
【００２８】
復号化部２１（復号部）は、暗号化された個別情報（ＥＭＭ）を、デバイス鍵Ｋｄで復号化する。これにより、個別情報（ＥＭＭ、平文）が得られる。個別情報（ＥＭＭ）には、上述したように、デバイスＩＤに対応したワーク鍵Ｋｗと、共通情報（ＥＣＭ）中の当該デバイスＩＤに対応したワーク鍵Ｋｗに対応したスクランブル鍵Ｋｓの存在範囲を示すポインタと、が含まれている。復号化部２１は、第一の復号化部の一例である。
【００２９】
選択部２２は、復号化部２１での個別情報（ＥＭＭ）の復号化によって得られたポインタから、共通情報（ＥＣＭ）における、デバイスＩＤに対応したワーク鍵Ｋｗで暗号化されたスクランブル鍵Ｋｓの存在範囲を取得し、共通情報（ＥＣＭ）における当該存在範囲を選択する。
【００３０】
復号化部２３は、選択部２２で選択されたスクランブル鍵Ｋｓを、復号化部２１での個別情報（ＥＭＭ）の復号化によって得られたワーク鍵Ｋｗで復号化する。これにより、スクランブル鍵Ｋｓが得られる。復号化部２３は、第二の復号化部の一例である。
【００３１】
デスクランブル部２４（デスクランブラ）は、スクランブル鍵Ｋｓにより、コンテンツを復号化する。
【００３２】
上述した受信装置２０は、コンピュータとして構成され、ＣＰＵ（central  processing  unit）や、コントローラ、記憶部、入力部、出力部、通信部等（図示されず）を備えうる。記憶部は、例えば、ＲＡＭ（random  access  memory）や、ＲＯＭ（read  only  memory）、ＨＤＤ（hard  disk  drive）、ＳＳＤ（solid  state  drive）等である。受信装置２０のＣＰＵやコントローラが、ロードされたプログラム（例えば、ＯＳ（operating  system）や、アプリケーション、ウエブアプリケーション等）にしたがって、種々の演算処理を実行することができる。本実施形態では、一例として、プログラムにしたがったＣＰＵ等の演算処理によって、図１に示される復号化部２１や、選択部２２、復号化部２３、デスクランブル部２４等が機能することができる。
【００３３】
なお、送信装置１０や受信装置２０等のプログラムは、それぞれインストール可能な形式又は実行可能な形式のファイルでＣＤ−ＲＯＭ（compact  disc  ＲＯＭ）や、ＦＤ（flexible  disc）、ＣＤ−Ｒ（ＣＤ  recordable）、ＤＶＤ（digital  versatile  disc）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００３４】
次に、図５を参照して、送信装置１０において個別情報（ＥＭＭ）が暗号化される手順の一例が説明される。
【００３５】
まず、選択部１４は、デバイスＩＤに対応したワーク鍵Ｋｗを選択する（ステップＳ１０１）。ここで、ワーク鍵Ｋｗに対応したスクランブル鍵Ｋｓのデータ長が従来の方式の長さでなかった場合（ステップＳ１０２でＮｏ）、個別情報構成部１５は、ワーク鍵Ｋｗとスクランブル鍵Ｋｓの存在範囲を示すポインタ（本実施形態では、一例として開始ポインタおよび終了ポインタ）とを含む個別情報（ＥＭＭ）を構成する（ステップＳ１０３）。一方、ワーク鍵Ｋｗに対応したスクランブル鍵Ｋｓのデータ長が従来の方式の長さであった場合（ステップＳ１０２でＹｅｓ）、個別情報構成部１５は、ワーク鍵Ｋｗとスクランブル鍵Ｋｓの開始位置を示すポインタとを含む個別情報（ＥＭＭ）を構成する（ステップＳ１０４）。次に、暗号化部１６は、デバイスＩＤに対応したデバイス鍵Ｋｄを取得し（ステップＳ１０５）、このデバイス鍵Ｋｄを用いて、個別情報構成部１５で構成された個別情報（ＥＭＭ）を暗号化する。これにより、暗号化された個別情報（ＥＭＭ）が得られる（ステップＳ１０６）。
【００３６】
次に、図６を参照して、受信装置２０において個別情報（ＥＭＭ）が復号化される手順の一例が説明される。
【００３７】
まず、復号化部２１は、暗号化された個別情報（ＥＭＭ）をデバイス鍵Ｋｄで復号化する。これにより、個別情報（ＥＭＭ、平文）が得られる（ステップＳ２０１）。次に、選択部２２は、復号化部２１で取得されたポインタにしたがって、共通情報（ＥＣＭ）中で、対応するスクランブル鍵Ｋｓを選択する（ステップＳ２０２）。次に、復号化部２３は、選択部２２で選択された暗号化されたスクランブル鍵Ｋｓを、復号化部２１で得られたワーク鍵Ｋｗで復号化する。これにより、スクランブル鍵Ｋｓが得られる（ステップＳ２０３）。
【００３８】
以上、説明したように、本実施形態では、一例として、個別情報（ＥＭＭ）に、ワーク鍵Ｋｗと、当該ワーク鍵Ｋｗにより暗号化されたスクランブル鍵Ｋｓの共通情報（ＥＣＭ）における存在範囲を示すポインタと、が含まれる。よって、本実施形態によれば、一例としては、従来の方式よりもスクランブル鍵Ｋｓのデータ長が長い新しい方式を、比較的小さな改変によって導入することができる。また、この新しい方式によれば、スクランブル鍵Ｋｓのデータ長が種々に改変された場合にあっても、比較的容易に対応することができるようになる。
【００３９】
また、本実施形態では、一例として、ポインタは、共通情報（ＥＣＭ）におけるスクランブル鍵Ｋｓの開始位置と終了位置とを示す。すなわち、本実施形態によれば、一例としては、共通情報（ＥＣＭ）におけるスクランブル鍵Ｋｓの開始位置と終了位置とによって、比較的容易に、共通情報（ＥＣＭ）におけるスクランブル鍵Ｋｓの存在範囲を示すことができる。
【００４０】
また、本実施形態では、一例として、ポインタは、共通情報（ＥＣＭ）におけるスクランブル鍵Ｋｓの開始位置と存在範囲の大きさとを示す。すなわち、本実施形態によれば、一例としては、共通情報（ＥＣＭ）におけるスクランブル鍵Ｋｓの開始位置と存在範囲の大きさとによって、比較的容易に、共通情報（ＥＣＭ）におけるスクランブル鍵Ｋｓの存在範囲を示すことができる。
【００４１】
また、本実施形態では、一例として、個別情報（ＥＭＭ）は、ポインタが共通情報（ＥＣＭ）におけるスクランブル鍵Ｋｓの存在範囲を示すか存在位置を示すかを区別する情報（本実施形態では、一例としてDescriptor  Tag）をさらに含む。よって、本実施形態によれば、一例としては、従来の方式の受信装置（図示されず）ならびに新しい方式の受信装置２０の双方が、対応するスクランブル鍵Ｋｓを選択しやすい。
【００４２】
以上、本発明の実施形態ならびに変形例を例示したが、上記実施形態ならびに変形例はあくまで一例であって、発明の範囲を限定することは意図していない。これら実施形態ならびに変形例は、その他の様々な形態で実施されることが可能であり、発明の要旨を逸脱しない範囲で、種々の省略、置き換え、組み合わせ、変更を行うことができる。これら実施形態やその変形例は、発明の範囲や要旨に含まれるとともに、特許請求の範囲に記載された発明とその均等の範囲に含まれる。また、本発明は、構成要素（ステップ）によって得られる基本的な結果（効果）によってもたらされる種々の効果も奏することができる。また、上述した効果は一例である。また、各構成要素のスペックは、適宜に変更して実施することができる。
【符号の説明】
【００４３】
１０…送信装置、１１…スクランブル部、１２…暗号化部（第一の暗号化部）、１３…重畳部（共通情報構成部）、１４…選択部、１５…個別情報構成部、１６…暗号化部（第二の暗号化部）、２０…受信装置、２１…復号化部（第一の復号化部）、２２…選択部、２３…復号化部（第二の復号化部）、２４…デスクランブル部、１００…限定受信システム。
【図１】
2015012492.tif 000003
【図２Ａ】
2015012492.tif 000004
【図２Ｂ】
2015012492.tif 000005
【図３】
2015012492.tif 000006
【図４】
2015012492.tif 000007
【図５】
2015012492.tif 000008
【図６】
2015012492.tif 000009